【手続補正書】
【提出日】平成18年12月1日(2006.12.1)
【手続補正１】
【補正対象書類名】明細書
【補正対象項目名】発明の名称
【補正方法】変更
【補正の内容】
【発明の名称】放送受信装置及び放送受信方法
【手続補正２】
【補正対象書類名】明細書
【補正対象項目名】特許請求の範囲
【補正方法】変更
【補正の内容】
【特許請求の範囲】
【請求項１】  放送受信装置と通信可能な外部端末装置からの要求に応じて、前記放送受信装置を制御するための制御情報と前記放送受信装置を識別するための識別情報とを少なくとも多重して放送された放送信号を受信する受信手段と、
前記外部端末装置と通信するための通信手段と、
受信した放送信号から前記制御情報を抽出するための抽出手段と、
前記抽出手段によって抽出された制御情報に従って、前記外部端末装置に送信するための情報データを生成する生成手段と、
前記通信手段を用いて前記外部端末装置に前記情報データを送信するための制御を行う制御手段と、
を有することを特徴とする放送受信装置。
【請求項２】  前記情報データは前記外部端末装置が備える表示部に表示させるための表示データを含むことを特徴とする請求項１に記載の放送受信装置。
【請求項３】  前記表示データは前記外部端末装置の操作を支援する操作支援画面を表示するためのデータであることを特徴とする請求項２に記載の放送受信装置。
【請求項４】  前記操作支援画面は、前記放送受信装置により受信される番組の映像データ及び音声データの記録、記録予約、視聴予約、前記番組の番組情報データ及びデータ放送データの取得、前記番組に係るデータ放送データの記録の操作のうち、少なくとも一つの操作を支援することが可能な画面であることを特徴とする請求項３に記載の放送受信装置。
【請求項５】  初期画面を構成する情報を設定するための初期画面設定手段と、
前記初期画面設定手段によって設定された初期画面設定情報を記憶するための記憶手段と、を備え、
前記制御情報が初期画面送信コマンド情報である場合、前記抽出手段は前記記憶手段から前記初期画面設定情報を抽出し、前記生成手段は抽出された前記初期画面設定情報に従って表示データを生成し、前記制御手段は前記外部端末装置に当該表示データを送信する制御を行うことを特徴とする請求項２に記載の放送受信装置。
【請求項６】  前記放送信号は番組情報データを含み、前記制御情報は前記番組情報データを前記外部端末装置に送信するためのコマンド情報であることを特徴とする請求項１に記載の放送受信装置。
【請求項７】  前記制御手段は前記通信手段を用いて所定時刻に前記外部端末装置に前記情報データを送信するための制御を行うことを特徴とする請求項１に記載の放送受信装置。
【請求項８】  前記制御手段はさらに、前記制御情報に基づいて前記放送受信装置の動作を制御し、前記放送信号に含まれる番組の映像データ及び音声データの記録、視聴予約、記録予約及び前記番組に係るデータ放送データの記録のうち少なくとも一つの動作を制御することを特徴とする請求項１に記載の放送受信装置。
【請求項９】  放送受信装置と通信可能な外部端末装置からの要求に応じて、前記放送受信装置を制御するための制御情報と前記放送受信装置を識別するための識別情報とを少なくとも多重して放送された放送信号を受信する受信ステップと、
前記外部端末装置と通信するための通信ステップと、
受信した放送信号から前記制御情報を抽出するための抽出ステップと、
前記抽出ステップによって抽出された制御情報に従って、前記外部端末装置に送信するための情報データを生成する生成ステップと、
前記通信ステップを用いて前記外部端末装置に前記情報データを送信するための制御を行う制御ステップと、
を有することを特徴とする放送受信方法。
【請求項１０】  前記情報データは前記外部端末装置が備える表示部に表示させるための表示データを含むことを特徴とする請求項９に記載の放送受信方法。
【請求項１１】  前記表示データは前記外部端末装置の操作を支援する操作支援画面を表示するためのデータであることを特徴とする請求項１０に記載の放送受信方法。
【請求項１２】  前記操作支援画面は、前記放送受信装置により受信される番組の映像データ及び音声データの記録、記録予約、視聴予約、前記番組の番組情報データ及びデータ放送データの取得、前記番組に係るデータ放送データの記録の操作のうち、少なくとも一つの操作を支援することが可能な画面であることを特徴とする請求項１１に記載の放送受信方法。
【請求項１３】  初期画面を構成する情報を設定するための初期画面設定ステップと、
前記初期画面設定ステップで設定された初期画面設定情報を記憶部に記憶するための記憶ステップと、を備え、
前記制御情報が初期画面送信コマンド情報である場合、前記抽出ステップでは前記記憶部から前記初期画面設定情報を抽出し、前記生成ステップでは抽出された前記初期画面設定情報に従って表示データを生成し、前記制御ステップでは前記外部端末装置に当該表示データを送信する制御を行うことを特徴とする請求項１０に記載の放送受信方法。
【請求項１４】  前記放送信号は番組情報データを含み、前記制御情報は前記番組情報データを前記外部端末装置に送信するためのコマンド情報であることを特徴とする請求項９に記載の放送受信方法。
【請求項１５】  前記制御ステップでは所定時刻に前記外部端末装置に前記情報データを送信するための制御を行うことを特徴とする請求項９に記載の放送受信方法。
【請求項１６】  前記制御ステップではさらに、前記制御情報に基づいて前記放送受信装置の動作を制御し、前記放送信号に含まれる番組の映像データ及び音声データの記録、視聴予約、記録予約及び前記番組に係るデータ放送データの記録のうち少なくとも一つの動作を制御することを特徴とする請求項９に記載の放送受信方法。
【手続補正３】
【補正対象書類名】明細書
【補正対象項目名】０００１
【補正方法】変更
【補正の内容】
【０００１】
【発明の属する技術分野】
本発明は、放送受信装置及び放送受信方法に関し、特に、外出先等の遠隔地から操作する場合に好適な放送受信装置及び放送受信方法に関する。
【手続補正４】
【補正対象書類名】明細書
【補正対象項目名】００２３
【補正方法】変更
【補正の内容】
【００２３】
本発明は、上述した点に鑑みなされたものであり、様々な動作を外出先等の遠隔地から容易に操作することを可能とした放送受信装置及び放送受信方法を提供することを目的とする。
【手続補正５】
【補正対象書類名】明細書
【補正対象項目名】００２５
【補正方法】変更
【補正の内容】
【００２５】
【課題を解決するための手段】
上記目的を達成するため、本発明は、放送受信装置と通信可能な外部端末装置からの要求に応じて、前記放送受信装置を制御するための制御情報と前記放送受信装置を識別するための識別情報とを少なくとも多重して放送された放送信号を受信する受信手段と、前記外部端末装置と通信するための通信手段と、受信した放送信号から前記制御情報を抽出するための抽出手段と、前記抽出手段によって抽出された制御情報に従って、前記外部端末装置に送信するための情報データを生成する生成手段と、前記通信手段を用いて前記外部端末装置に前記情報データを送信するための制御を行う制御手段と、を有することを特徴とする。
【手続補正６】
【補正対象書類名】明細書
【補正対象項目名】００２６
【補正方法】変更
【補正の内容】
【００２６】
また、上記目的を達成するため、本発明は、放送受信装置と通信可能な外部端末装置からの要求に応じて、前記放送受信装置を制御するための制御情報と前記放送受信装置を識別するための識別情報とを少なくとも多重して放送された放送信号を受信する受信ステップと、前記外部端末装置と通信するための通信ステップと、受信した放送信号から前記制御情報を抽出するための抽出ステップと、前記抽出ステップによって抽出された制御情報に従って、前記外部端末装置に送信するための情報データを生成する生成ステップと、前記通信ステップを用いて前記外部端末装置に前記情報データを送信するための制御を行う制御ステップと、を有することを特徴とする。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３３
【補正方法】変更
【補正の内容】
【００３３】
デジタルTV放送受信装置の要部の構成を説明すると、システム制御部１１４は、本発明の遠隔操作支援方法を実行するプログラムに基づき後述の各フローチャートに示す処理を実行する。（ここで、システム制御部１１４は、請求項１記載の制御手段に相当する。）ＵＩ画面構成部２・１１９は、後述の図２２〜図２４、図２７〜図２８等に示すような各種画面を構成する。（ここで、ＵＩ画面構成部２・１１９は、請求項１記載の生成手段に相当する。）設定記憶部１２０は、後述のチャンネル番号情報、ページ番号情報、ジャンル設定情報を記憶する。（ここで、設定記憶部１２０は、請求項５記載の記憶手段に相当する。）データ放送デコーダ１２１は、データ放送情報のデコード処理を行う。記録制御部１２２は、記録媒体１２３に対し所望のチャンネルの番組、或いはデータ放送の記録、蓄積を行う。これら以外は上記図２に示した構成と同様である。
【手続補正１２】
【補正対象書類名】明細書
【補正対象項目名】００３５
【補正方法】変更
【補正の内容】
【００３５】
図５は本発明の第１の実施の形態に係るデジタルTV放送受信装置と遠隔操作端末装置を用いたシステムの構成例を示す概念図である。（ここで、遠隔操作端末装置は、請求項１に記載の外部端末装置に相当する。）本発明の第１の実施の形態に係るデジタルTV放送受信装置と遠隔操作端末装置を用いたシステムは、放送事業者５０１、デジタルTV放送衛星（以下、放送衛星）５０２、受信アンテナ５０３、デジタルTV放送受信装置（以下、放送受信機）５０４、リモコン５０５、電話回線網５０６、サービスプロバイダ５０７、遠隔操作端末装置（以下、遠隔端末）５０８、インターネット５０９から構成されている。
【手続補正１３】
【補正対象書類名】明細書
【補正対象項目名】００６４
【補正方法】変更
【補正の内容】
【００６４】
図２０・図２１におけるステップＳ１７０１において、放送受信機５０４はEMMデータの受信を行う。図１のシステム制御部１１４は、チューナ１０１、デスクランプラ１０２、デマルチプレクサ１０３を介して、EMMデータの取得を行う（ステップＳ１７０２）。（ここで、受信アンテナ５０３及びチューナ１０１は、請求項１に記載の受信手段に相当し、デマルチプレクサ１０３は、請求項１記載の抽出手段に相当する。）
ステップＳ１７０３、ステップＳ１７０４においては、システム制御部１１４において、取得したEMMデータの解析が行われる。ステップＳ１７０３においては、取得したEMMデータに含まれる遠隔端末番号と遠隔端末暗証番号を、上記図９で示した通り入力されている各番号との比較、照合が行われる。もし各番号が正しければ、ステップＳ１７０４の処理へ移行する。各番号が正しくなければ、ステップＳ１７１１の処理へ移行し、何らかの不正があったと判断し、ステップＳ１７１２において、不正であることを示すステータスを発行する。
【手続補正１４】
【補正対象書類名】明細書
【補正対象項目名】００９９
【補正方法】変更
【補正の内容】
【００９９】
上記図２０・図２１におけるステップＳ１７１４において、上述の如く構成された画面データは、図１のシステム制御部１１４を経由し、ステップＳ１７１６において、画面データ送出コマンド、初期画面データ、遠隔端末番号、遠隔端末暗証番号、放送受信機番号、放送受信機暗証番号と共に、モデム１１１を介して、図５のサービスプロバイダ５０４に対し送出される。（ここで、モデム１１１は、請求項１に記載の通信手段に相当する。）
上記図１５・図１６・図１７におけるステップＳ１４１３において、サービスプロバイダ５０７は、放送受信機５０４から送信された画面データ送出コマンド、初期画面データ、遠隔端末番号、遠隔端末暗証番号、放送受信機番号、放送受信機暗証番号を受信し、各番号の確認、照合を行い、遠隔端末５０８に対し、画面データ送出コマンド、初期画面データ、遠隔端末番号、遠隔端末暗証番号、放送受信機番号、放送受信機暗証番号を送信する。
【手続補正１５】
【補正対象書類名】明細書
【補正対象項目名】０１５８
【補正方法】変更
【補正の内容】
【０１５８】
【発明の効果】
以上説明したように、本発明によれば、様々な動作を外部の遠隔地から容易に操作することを可能とした放送受信装置及び放送受信方法を提供し、放送受信装置を外部の遠隔地より操作する際の操作性の向上を可能とした。
【手続補正１６】
【補正対象書類名】明細書
【補正対象項目名】符号の説明
【補正方法】変更
【補正の内容】
【符号の説明】
１０１  チューナ（受信手段）
１０３  デマルチプレクサ（抽出手段）
１０８  ＵＩ画面構成部
１１１  モデム（通信手段）
１１４  システム制御部（制御手段）
１１９  ＵＩ画面構成部２
１２１  データ放送デコーダ
１２２  記録制御部
１２３  記録媒体
５０１、２９０１  放送事業者
５０４、２９０４  デジタルTV放送受信装置
５０８  遠隔操作端末装置
１５０１  表示画面
１５０４  テンキー
２９０８  デジタルカメラ付遠隔操作端末装置